(57)【要約】      （修正有）【課題】壁に吊り下げて使用するか卓上に立て掛けて使用するかを選択することが可能であり、立て掛ける角度を調整することができる額縁を提供する。【解決手段】壁掛兼立掛部材３によって額縁本体２を壁に吊り下げて使用するか卓上に立て掛けて使用するかを選択可能な額縁１であり、壁掛兼立掛部材３は、棒状体４１と壁掛片４２と一対の雌型嵌合筒４３と傾斜面４５と雄型突起４６とを有しており、額縁本体２は、その背面側に壁掛兼立掛部材３を選択的に着脱自在に係止する第１、第２の係止部が設けられており、第１の係止部は額縁本体２の縦方向及び横方向のいずれの方向にも一対の雌型嵌合筒４３の間隔になるように４つの雄型突起３２１〜３２４が配置されたものであり、第２の係止部は雄型突起４６に嵌合可能に孔開けされた嵌合孔２６１〜２６３が額縁本体２に複数設けられているものである。【選択図】図３
0003203962.tif 000002
【実用新案登録請求の範囲】
【請求項１】
額縁本体と、壁掛兼立掛部材とを備え、前記壁掛兼立掛部材によって前記額縁本体を壁に吊り下げて使用するか卓上に立て掛けて使用するかを選択可能な額縁であって、
前記壁掛兼立掛部材は、棒状体と、前記棒状体の中央部に設けられた壁掛け用の壁掛片と、嵌合用に筒型に形成されており、その筒型の軸方向が前記棒状体の軸方向に直交する向きで前記棒状体の両端部に設けられた一対の雌型嵌合筒と、前記棒状体の一方の先端に設けられており、前記棒状体の軸方向に対して斜めに傾斜している傾斜面と、前記傾斜面に嵌合用に突設された第１の雄型突起とを有しており、
前記額縁本体は、その背面側に前記壁掛兼立掛部材を選択的に着脱自在に係止する第１、第２の係止部が設けられており、
前記第１の係止部は、前記雌型嵌合筒に嵌合可能に突設された４つの第２の雄型突起を有し、前記額縁本体の縦方向及び横方向のいずれの方向にも前記一対の雌型嵌合筒の間隔になるように、正方形の各頂点に位置するように前記４つの第２の雄型突起が配置されたものであり、
前記第２の係止部は、第１の雄型突起に嵌合可能に孔開けされた嵌合孔が前記額縁本体に複数設けられているものであることを特徴とする額縁。
【請求項２】
前記第１の雄型突起が円柱状に形成されていると共に、前記嵌合孔が丸孔に形成されていることを特徴とする請求項１に記載の額縁。
【請求項３】
前記額縁本体は、その側面を取り囲む４辺の枠を有し、各々の前記枠には嵌合用に突設された枠部雄型突起とこの枠部雄型突起に嵌合可能な形状の雌型孔とが交互に並ぶように複数設けられていて、対向し合う前記枠同士には、前記枠部雄型突起と前記雌型孔とが対向し合う位置関係で配置されるように設けられていることで、複数個の前記額縁本体を上下方向及び左右方向に連結可能にしたことを特徴とする請求項１又は２に記載の額縁。
【請求項４】
前記額縁本体は、展示物をセットするための方形に窪んだ窪部を有し、前記窪部の４隅近傍に、前記額縁本体の背面側に通じるスリットを有していることを特徴とする請求項１から３のいずれかに記載の額縁。
【請求項５】
前記スリットの両端部には、一対の突起が設けられていることを特徴とする請求項４に記載の額縁。
【請求項６】
前記窪部は、その窪んだ底部に、前記額縁本体の背面側に通じていて、その背面側から前記展示物の背面を指で押すことが可能な大きさに形成された取外孔を有していることを特徴とする請求項４又は５に記載の額縁。
【考案の詳細な説明】
【技術分野】
【０００１】
本考案は、壁掛けとしても使用でき、立て掛けとしても使用することができる額縁に関するものである。
【背景技術】
【０００２】
写真、絵画等の展示物を飾るために額縁が使用されている。例えば特許文献１には、壁掛兼立掛部材（壁掛け兼立て掛け部材）を備えて、壁掛兼立掛部材の装着位置を変えることで、壁掛け又は立て掛けとして選択的に使用できる額縁が記載されている。
【先行技術文献】
【特許文献】
【０００３】
【特許文献１】実用新案登録第３１４４４１２公報
【考案の概要】
【考案が解決しようとする課題】
【０００４】
特許文献１に記載された額縁では、立て掛けて使用するときに、立て掛ける角度が固定されている。しかしながら、額縁は、立て掛ける場所によって見やすいように立て掛ける角度を調整したいという要望がある。
【０００５】
本考案は、前記の課題を解決するためになされたもので、壁掛兼立掛部材を備えて、壁に吊り下げて使用するか卓上に立て掛けて使用するかを選択することが可能でありながら、立て掛ける角度を調整することができる額縁を提供することを目的とする。
【課題を解決するための手段】
【０００６】
前記の目的を達成するためになされた本考案の額縁は、額縁本体と、壁掛兼立掛部材とを備え、前記壁掛兼立掛部材によって前記額縁本体を壁に吊り下げて使用するか卓上に立て掛けて使用するかを選択可能な額縁であって、前記壁掛兼立掛部材は、棒状体と、前記棒状体の中央部に設けられた壁掛け用の壁掛片と、嵌合用に筒型に形成されており、その筒型の軸方向が前記棒状体の軸方向に直交する向きで前記棒状体の両端部に設けられた一対の雌型嵌合筒と、前記棒状体の一方の先端に設けられており、前記棒状体の軸方向に対して斜めに傾斜している傾斜面と、前記傾斜面に嵌合用に突設された第１の雄型突起とを有しており、前記額縁本体は、その背面側に前記壁掛兼立掛部材を選択的に着脱自在に係止する第１、第２の係止部が設けられており、前記第１の係止部は、前記雌型嵌合筒に嵌合可能に突設された４つの第２の雄型突起を有し、前記額縁本体の縦方向及び横方向のいずれの方向にも前記一対の雌型嵌合筒の間隔になるように、正方形の各頂点に位置するように前記４つの第２の雄型突起が配置されたものであり、前記第２の係止部は、第１の雄型突起に嵌合可能に孔開けされた嵌合孔が前記額縁本体に複数設けられているものである。
【０００７】
請求項２に記載された額縁は、請求項１に記載のものであり、前記第１の雄型突起が円柱状に形成されていると共に、前記嵌合孔が丸孔に形成されていることを特徴とする。
【０００８】
請求項３に記載された額縁は、請求項１又は２に記載のものであり、前記額縁本体は、その側面を取り囲む４辺の枠を有し、各々の前記枠には嵌合用に突設された枠部雄型突起とこの枠部雄型突起に嵌合可能な形状の雌型孔とが交互に並ぶように複数設けられていて、対向し合う前記枠同士には、前記枠部雄型突起と前記雌型孔とが対向し合う位置関係で配置されるように設けられていることで、複数個の前記額縁本体を上下方向及び左右方向に連結可能にしたことを特徴とする。
【０００９】
請求項４に記載された額縁は、請求項１から３のいずれかに記載のものであり、前記額縁本体は、展示物をセットするための方形に窪んだ窪部を有し、前記窪部の４隅近傍に、前記額縁本体の背面側に通じるスリットを有していることを特徴とする。
【００１０】
請求項５に記載された額縁は、請求項４に記載のものであり、前記スリットの両端部には、一対の突起が設けられていることを特徴とする。
【００１１】
請求項６に記載された額縁は、請求項４又は５に記載のものであり、前記窪部は、その窪んだ底部に、前記額縁本体の背面側に通じていて、その背面側から前記展示物の背面を指で押すことが可能な大きさに形成された取外孔を有していることを特徴とする。
【考案の効果】
【００１２】
本考案の額縁は、１本の壁掛兼立掛部材を選択的に第１又は第２の係止部に取り付けることで壁に吊り下げて使用するか卓上に立て掛けて使用するかを選択することが可能である。さらに、壁掛兼立掛部材に設けられた第１の雄型突起に嵌合可能な嵌合孔が、額縁本体に複数設けられていることにより、いずれの嵌合孔に嵌合するか選択することで、額縁本体を立て掛ける角度を複数段階で調整することができる。
【００１３】
第１の雄型突起が円柱状に形成されると共に嵌合孔が丸孔に形成されている場合、第１の雄型突起を丸孔に差し込むときに壁掛兼立掛部材の向きを任意の向きに変えることができるため、額縁本体を立て掛ける角度を任意の角度に変えることができる。
【００１４】
額縁本体が側面を取り囲む４辺の枠に、枠部雄型突起とこの枠部雄型突起に嵌合可能な形状の雌型孔とが交互に並ぶように複数設けられていることで、複数個の前記額縁本体を上下方向及び左右方向に連結することができる。
【００１５】
額縁本体が展示物をセットするための方形に窪んだ窪部の４隅近傍に、額縁本体の背面側に通じるスリットを有していることにより、このスリットを使用して展示物を窪部にセットすることができる。例えば、窪部と同形の台紙の４隅に耳部を設け、これら耳部をスリットに通して折り返し背面側に接着テープ等で固定することで、台紙を窪部にセットできる。台紙に立体的な展示物を接着することで、額縁本体に立体的な展示物をセットして飾ることもできる。
【００１６】
スリットの両端部に一対の突起が設けられている場合、台紙の耳部に一対の突起に引っかかる切り欠き部を設けることで、台紙の抜け止めに利用することができる。
【００１７】
窪部の底部に、額縁本体の背面側に通じていて、その背面側から展示物の背面を指で押すことが可能な大きさに形成された取外孔を有する場合、展示物を簡便に取り外すことができる。
【図面の簡単な説明】
【００１８】
【図１】本考案を適用する額縁の額縁本体の正面を示す斜視図である。
【図２】本考案を適用する額縁の額縁本体の使用状態を示す正面の斜視図である。
【図３】本考案を適用する額縁の額縁本体の背面及び壁掛兼立掛部材を示す斜視図である。
【図４】本考案を適用する額縁を立て掛けて使用する際の壁掛兼立掛部材の取り付ける方法を説明する側面図である。
【図５】本考案を適用する額縁を立て掛けて使用している状態を示す側面図である。
【図６】本考案を適用する額縁を立て掛けて使用している状態を示す側面図である。
【図７】本考案を適用する額縁を立て掛けて使用している状態を示す側面図である。
【図８】本考案を適用する額縁に展示物をセットする様子を示す説明図である。
【図９】本考案を適用する額縁に好ましく用いることができる台紙の平面図である。
【図１０】本考案を適用する額縁の額縁本体の背面のスリット部分を拡大した斜視図である。図１０（ａ）はスリットに台紙を差し込む前の状態を示し、図１０（ｂ）はスリットに台紙を差し込んだ状態を示す。
【考案を実施するための形態】
【００１９】
以下、本考案を実施するための形態を詳細に説明するが、本考案の範囲はこれらの形態に限定されるものではない。
【００２０】
図１に、本考案を適用する額縁１における額縁本体２の正面の斜視図を示す。この額縁本体２は、樹脂によって一体的に形成されている。額縁本体２は、正面視の形状が方形（同図の例では長方形。正方形であってもよい）に形成されている。この額縁本体２は、その正面に、展示物をセットして展示する（飾る）ための方形に窪んだ窪部２１と、この窪部２１の周囲を取り囲む縁部２３とを有している。額縁本体２は、その側面を取り囲む４辺の枠Ａ，Ｂ，Ｃ，Ｄを有している。各々の枠Ａ，Ｂ，Ｃ，Ｄには、嵌合用に突設された枠部雄型突起１２と、この枠部雄型突起１２に嵌合可能な形状の雌型孔１１とが交互に並ぶように複数設けられている。各々の枠Ａ，Ｂ，Ｃ，Ｄの枠部雄型突起１２の数と雌型孔１１の数は同数である。
【００２１】
枠部雄型突起１２は、一例として、円柱形に形成されている。雌型孔１１は、一例として、枠部雄型突起１２が着脱自在にしっかりと嵌る丸孔に形成されている。各々の枠Ａ、Ｂ、Ｃ、Ｄには、枠部雄型突起１２、雌型孔１１、枠部雄型突起１２、雌型孔１１・・・のように等間隔に交互に一列に並んで、枠部雄型突起１２が４個、雌型孔１１が４個形成されている。枠部雄型突起１２及び雌型孔１１の数は同数であれば４個に限られず、例えば３個、５個、６個のように任意の数を設けてもよい。対向し合う枠Ａ、枠Ｃには、枠部雄型突起１２と雌型孔１１とが対向し合う位置関係で配置されるように設けられている。つまり、枠Ａで枠部雄型突起１２が設けられている位置に対向する枠Ｃには、雌型孔１１が形成されている。枠Ａで雌型孔１１が設けられている位置に対向する枠Ｃには、枠部雄型突起１２が形成されている。対向し合う枠Ｂ、枠Ｄにも同様に、枠部雄型突起１２及び雌型孔１１が対向する位置関係で形成されている。このため、複数個の額縁本体２を上下方向及び左右方向に連結可能になっている。
【００２２】
図２に、複数個の額縁本体２、２・・・を連結した状態を図示する。同図に示すように、横にも縦にも額縁本体２を連結して使用することができる。通常は、隣接する額縁本体２、２の長辺の枠Ａ、Ｃ同士を連結し、短辺の枠Ｂ，Ｄ同士を連結する。なお、長辺の枠Ａ、Ｃと短辺の枠Ｂ、Ｄとには同じ数の枠部雄型突起１２及び雌型孔１１が設けられているので、図示しないが、例えば額縁本体２の長辺Ａに、他の額縁本体２の短辺Ｂを連結することもできる。
【００２３】
図１に示すように、窪部２１は、その４隅近傍に、額縁本体２の背面側に通じる４つのスリット２４を有している。この例では、長辺Ａの両端部近くにスリット２４、２４が形成され、長辺Ｃの両端部近くにスリット２４、２４が形成されている。スリット２４は、窪部２１の底部２２、及び底部２２に直交する窪部２１の縁壁２５に掛かるように、つまり、底部２２と縁壁２５との境界の辺（角）に孔開けされて形成されている。
【００２４】
窪部２１は、その窪んだ底部２２に、額縁本体２の背面側に通じていて、その背面側から窪部２１に収容した展示物（図示省略）の背面を指で押すことが可能な大きさに形成された取外孔２８を有している。この例では、底部２２に２つの取外孔２８が形成されている。
【００２５】
図３に、額縁本体２の背面３１、及び壁掛兼立掛部材３の斜視図を示す。図４に、額縁本体２及び壁掛兼立掛部材３の側面図を示す。額縁１は、額縁本体２と、壁掛兼立掛部材３とを備えている。額縁１は、壁掛兼立掛部材３によって額縁本体２を壁に吊り下げて使用するか卓上に立て掛けて使用するかを選択可能である。
【００２６】
壁掛兼立掛部材３は、棒状体４１、壁掛け用の壁掛片４２、一対の雌型嵌合筒４３、４３、傾斜面４５、及び第１の雄型突起４６を有している。壁掛兼立掛部材３は、樹脂により一体的に形成されている。棒状体４１は、直線状に形成されている。壁掛片４２は、棒状体４１の中央部に設けられている。壁掛片４２は、壁掛け用のフック又は釘（共に図示せず）に掛けられるように孔開けされた形状に形成されている。壁掛片４２は、棒状体４１の板厚よりも薄い板厚で形成されている。一対の雌型嵌合筒４３、４３は、嵌合用に筒型（一例として円筒形）に形成されており、その筒型の軸方向が棒状体４１の軸方向（直線状の方向）に直交する向きで棒状体４１の両端部に設けられている。傾斜面４５は、棒状体４１の一方の先端に設けられており、棒状体４１の軸方向に対して斜めに傾斜している。雄型突起４６は、傾斜面４５に嵌合用に突設されている。雄型突起４６は、一例として、円柱状に形成され、その円柱状の軸が傾斜面４５に対して垂直に形成されている。
【００２７】
額縁本体２は、その背面３１側に壁掛兼立掛部材３を選択的に着脱自在に係止する第１、第２の係止部が設けられている。
【００２８】
第１の係止部は、壁掛兼立掛部材３の雌型嵌合筒４３に嵌合可能に突設された４つの第２の雄型突起３２１、３２２、３２３、３２４である。雄型突起３２１〜３２４は、一例として、円柱状に形成されている。４つの雄型突起３２１〜３２４は、額縁本体２の縦方向及び横方向のいずれの方向にも一対の雌型嵌合筒４３、４３の間隔になるように、正方形（仮想的な正方形）の各頂点に位置するように背面３１に配置されている。背面３１は、窪部２１（図１参照）の底部２２の裏面である。雄型突起３２１〜３２４は、背面３１と一体的に形成されている。
【００２９】
第２の係止部は、壁掛兼立掛部材３の第１の雄型突起４６に嵌合可能に孔開けされた複数（この例では３個）の嵌合孔２６１、２６２、２６３である。嵌合孔２６１〜２６３は、丸孔に形成されている。嵌合孔２６１〜２６３は、額縁本体２の中心線（仮想的な中心線）に沿って設けられている。この例では、額縁本体２の縦方向の中心線に沿って嵌合孔２６１〜２６３が設けられている。真ん中の嵌合孔２６２は、ちょうど額縁本体２（窪部２１）の４角の対角線の交点（額縁本体２の中心）に位置している。なお、額縁本体２の横方向の中心線に沿って複数の嵌合孔２６を設けてもよい。又、複数の嵌合孔２６を任意の位置に設けてもよい。
【００３０】
図３に示すように、額縁本体２を壁掛けとして使用する場合、壁掛兼立掛部材３の雌型嵌合筒４３、４３を雄型突起３２１〜３２４の内の２つに嵌め込んで使用する。額縁本体２を横型で壁に掛ける場合、同図に示すように、雌型嵌合筒４３、４３を、雄型突起３２１、３２２に嵌合させる。又は、雌型嵌合筒４３、４３を、雄型突起３２３、３２４に嵌合させてもよい。額縁本体２を縦型で壁に掛ける場合、図示を省略するが、壁掛兼立掛部材３の雌型嵌合筒４３、４３を、雄型突起３２２、３２３に嵌合させる。又は、雌型嵌合筒４３、４３を、雄型突起３２１、３２４に嵌合させてもよい。壁掛兼立掛部材３を付けた側が額縁本体２の上方向になる。
【００３１】
このように、壁掛兼立掛部材３を用いることで、額縁本体２を縦方向でも横方向でも、額縁本体２のいずれを上方向にしても、壁掛けとして使用することができる。
【００３２】
図４に示すように、額縁本体２を立て掛けとして使用する場合、壁掛兼立掛部材３の雄型突起４６を嵌合孔２６１〜２６３のいずれかに嵌め込んで使用する。雄型突起４６は正面側の窪部２１（図１参照）に飛び出ない高さで形成されている。同図に示すように、傾斜面４５は、棒状体４１に対して、角度αで傾斜している。そのため、雄型突起４６を嵌合孔２６１〜２６３に嵌合させると、棒状体４１は、額縁本体２の背面３１に対して角度αで傾斜して取り付けられる。角度αは、一例として３０°〜７０°程度であり、好ましくは５０°程度である。棒状体４１は、雄型突起４６が設けられた側と反対側の先端の角が接地するため、Ｒ形状に面取りされて、面取り部４８になっている。
【００３３】
図５〜図７に、額縁本体２を台（卓）２０１の上に縦型に立て掛けた状態を図示する。図５は、壁掛兼立掛部材３の雄型突起４６を嵌合孔２６１に嵌め込んでいる例である。図６は、壁掛兼立掛部材３の雄型突起４６を嵌合孔２６２に嵌め込んでいる例である。図７は、壁掛兼立掛部材３の雄型突起４６を嵌合孔２６３に嵌め込んでいる例である。額縁本体２の傾きは、台２０１の面に対して、図５の場合に最も小さくなり、図７の場合に最も大きくなる。
【００３４】
このように、額縁本体２の傾きを複数段階で調整可能に、立て掛けで使用することができる。又、立て掛けとして使用するときに必要な壁掛兼立掛部材３は１本でよく、構造も簡便である。
【００３５】
なお、図示しないが、図６に示した状態から壁掛兼立掛部材３（棒状体４１）の向きを９０°変えて、雄型突起４６を嵌合孔２６２に嵌め込むと、額縁本体２を横型にして立て掛けることもできる。雄型突起４６は円柱状に形成され、嵌合孔２６２は丸孔で形成されているので、嵌合孔２６２に嵌めるときの壁掛兼立掛部材３の向き（角度）を任意の角度に自由に変えることができる。そのため、図６（又は図５、図７）に示した状態から壁掛兼立掛部材３の向きを例えば４５°〜９０°の任意の角度で変えることで、横型にして立て掛けるときの角度を任意の角度に調整することができる。
【００３６】
図８に、額縁本体２に、展示物をセットする状態を示す説明図を図示する。この例では、額縁本体２を使って、立体的な展示物１０１を展示する例を示している。展示物１０１は、例えば、平坦な紙１０２の上に立体物１０５、１０５・・・を設けたものである。例えば、展示物１０１はペーパークラフトであり、１枚の平坦な紙１０２に切れ込みを入れ、切れ込みを入れた部分を折り曲げて立体物１０５を形成したものである。又、別の例として、展示物１０１は、平坦な紙１０２に立体物１０５を接着したものである。平坦な紙１０２はプラスチック製又は木製の薄い板であってもよい。
【００３７】
展示物１０１は、台紙１１１に貼り付けて、額縁本体２に取り付ける。貼り付けには、接着剤又は両面テープなどの接着用部材（図示省略）を使用する。台紙１１１に立体物１０５を直接貼り付けてもよい。つまり台紙１１１が展示物の一部になってもよい。
【００３８】
台紙１１１は、額縁本体２の窪部２１の形状とほぼ同形の方形に形成されている。台紙１１１は、４隅近傍の窪部２１のスリット２４に対応する位置に、４つの耳部１１２、１１２・・・を有している。この耳部１１２は帯状に形成されている。同図に示すように、各々の耳部１１２を台紙１１１の面に対し下方に垂直に折り曲げて、スリット２４に通して、台紙１１１を窪部２１にセットする。スリット２４に通した耳部１１２は更に折り曲げて、額縁本体２の背面に接着テープ、両面テープなどで貼り付けて固定する。
【００３９】
このように、スリット２４を利用することで、立体的な展示物であっても窪部２１にセットして展示することができる。なお、台紙１１１を用いずに、展示物１０１の平坦な紙１０２に耳部１１２を設けて、展示物１０１を窪部２１に直接取り付けるようにしてもよい。
【００４０】
展示物１０１を外すときは、耳部１１２を固定していた接着テープ等を額縁本体２の背面３１から外し、台紙１１１を窪部２１から取り外す。このとき、背面３１側から取外孔２８に指を入れて台紙１１１を押すことで、台紙１１１を簡単に取り外すことができる。
【００４１】
図９に、別の台紙２１１の平面図を示す。この台紙２１１を額縁本体２（図１参照）に嵌めて使用することができる。台紙２１１は、額縁本体２の窪部２１（図１参照）の形状とほぼ同形の方形に形成されている。台紙２１１は、４隅近傍の窪部２１のスリット２４（図１参照）に対応する位置に、スリット２４の数と同数の４つの耳部２１２、２１２・・・を有している。耳部２１２は、その根元に切り欠き部２２１、２２１を有しており、耳部２１２の先端部２２３が根元側よりも幅広く形成されている。
【００４２】
図１０（ａ）に、額縁本体２の背面３１側のスリット２４部分の拡大斜視図を示す。スリット２４の両端部には、一対の突起５５、５５が設けられている。この突起５５は、スリット２４を形成する縁壁２５（図１参照）の切り欠き端５１の両端に形成されている。額縁本体２は、枠（同図では枠Ｃ）の裏面５３と、スリット２４の形成されている切り欠き端５１との間に距離Ｌの隙間５８を有している。
【００４３】
同図に示すように、額縁本体２の正面側から台紙２２１の耳部２１２をスリット２４に差し込む。耳部２１２の先端部２２３の長さＳは、隙間５８の距離Ｌと同じか短い長さで形成されている。耳部２１２の切り欠き部２２１、２２１は、突起５５、５５に対応する位置、大きさで形成されている。
【００４４】
図１０（ｂ）に、スリット２４に耳部２１２が差し込まれている状態を示す。先端部２２３が隙間５８に位置し、切り欠き部２２１、２２１が突起５５、５５に嵌り込んでいる。このため、耳部２１２にスリット２４から抜く方向の力が作用しても、先端部２２３が突起５５、５５に引っかかるため、耳部２１２が抜け止めされる。したがって、台紙２１１が額縁本体２にしっかりと固定され、台紙２１１の脱落を防止することができる。
【００４５】
スリット２４に耳部２１２を抜き差しするときは、耳部２１２や先端部２２３を撓ませて突起５５、５５との干渉を回避すればよい。
【００４６】
この台紙２１１に、図８に示したような展示物１０１を貼り付けたり立体物１０５を直接貼り付けたりして、額縁１で展示することができる。
【００４７】
なお、図示しないが、窪部２１に写真、絵画、ジグソーパズルのような平坦な展示物を収容し、その上から透明なプラスチックカバーを入れてスリット２４を利用して固定してもよい。プラスチックカバーには、スリット２４に対応する位置に、折り曲げないで使用する耳部を形成しておけばよい。
【符号の説明】
【００４８】
１は額縁、２は額縁本体、３は壁掛兼立掛部材、１１は雌型孔、１２は枠部雄型突起、２１は窪部、２２は底部、２３は縁部、２４はスリット、２５は窪部の縁壁、２６１・２６２・２６３は嵌合孔、２８は取外孔、３１は背面、３２１・３２２・３２３・３２４は第２の雄型突起、４１は棒状体、４２は壁掛片、４３は雌型嵌合筒、４５は傾斜面、４６は第１の雄型突起、４８は面取り部、５１は切り欠き端、５３は裏面、５５は突起、５８は隙間、１０１は展示物、１０２は平坦な紙、１０５は立体物、１１１は台紙、１１２は耳部、２０１は台、２１１は台紙、２１２は耳部、２２１は切り欠き部、２２３は先端部、Ａ・Ｂ・Ｃ・Ｄは枠、Ｌは距離、Ｓは長さ、αは角度である。
【図１】
0003203962.tif 000003
【図２】
0003203962.tif 000004
【図３】
0003203962.tif 000005
【図４】
0003203962.tif 000006
【図５】
0003203962.tif 000007
【図６】
0003203962.tif 000008
【図７】
0003203962.tif 000009
【図８】
0003203962.tif 000010
【図９】
0003203962.tif 000011
【図１０】
0003203962.tif 000012